(57)【要約】【課題】映像通信機器の前面パネル側又はその近傍に新たに通信用の信号端子を設けることなく、既存の音声端子（イヤホン端子）を利用して、容易にプリセットデータの送受信ができるプリセットデータ設定方法及び設定システムを提供する。【解決手段】リモコン装置を用いて操作が可能な映像通信機器にプリセットデータを設定する方法とシステムである。機器の前部側に設けられる信号端子部２２は、音声信号線２３ｂに接続されて音声信号を取り出し、音声信号線２３ｂとの接続をデータ信号線２３ａに切替えてデータ信号の送受信が可能とされる。リモコン装置３は、前記の信号端子部２２に接続したデータ送受信用のケーブル２６を介して第１の映像通信機器側に設定されているプリセットデータをリモコン装置３に取込んで保存する。次いで、リモコン装置３に保存されたプリセットデータを第２の映像通信機器に送信して設定する。【選択図】図２
2008283372.tif 000002
【特許請求の範囲】
【請求項１】
音声・映像情報を出力し、リモコン装置を用いて操作が可能な映像通信機器にプリセットデータを設定する方法であって、
機器の前部側に設けられる信号端子は、音声信号線に接続されて音声信号を取り出し、前記音声信号線の接続をデータ信号線に切替えてデータ信号の送受信が可能とされ、前記リモコン装置は、前記信号端子に接続したデータ送受信用のケーブルを介して第１の映像通信機器側に設定されているプリセットデータを前記リモコン装置に取込んで保存し、次いで、前記リモコン装置に保存された前記プリセットデータを第２の映像通信機器に送信して、前記第２の映像通信機器に前記プリセットデータを設定することを特徴とするプリセットデータ設定方法。
【請求項２】
前記第１の映像通信機器と前記リモコン装置を前記ケーブルで接続したとき、前記プリセットデータのデータ比較を行い、その差分データのみを前記リモコン装置に取込んで保存することを特徴とする請求項１に記載のプリセットデータ設定方法。
【請求項３】
前記リモコン装置に保存された前記プリセットデータを前記第２の映像通信機器に送信する場合に、前記プリセットデータのデータ比較を行い、その差分データのみを前記第２の映像通信機器に送信することを特徴とする請求項１に記載のプリセットデータ設定方法。
【請求項４】
前記リモコン装置に保存された前記プリセットデータを、前記第２の映像通信機器に送信するのに、前記信号端子に接続したデータ送受信用のケーブルを介して送信することを特徴とする請求項１又は３に記載のプリセットデータ設定方法。
【請求項５】
前記リモコン装置に保存された前記プリセットデータを、前記第２の映像通信機器に送信するのに、リモコン受信部を介してワイヤレスで送信することを特徴とする請求項１又は３に記載のプリセットデータ設定方法。
【請求項６】
前記プリセットデータは、ＴＶチャンネルの設定データであることを特徴とする請求項１に記載のプリセットデータ設定方法。
【請求項７】
前記プリセットデータは、映像の画質に関する設定データであることを特徴とする請求項１に記載のプリセットデータ設定方法。
【請求項８】
音声・映像情報を出力し、リモコン装置を用いて操作が可能な映像通信機器にプリセットデータを設定するシステムであって、
音声信号線に接続されて音声信号を取り出し、前記音声信号線の接続をデータ信号線に切替えてデータ信号の送受信を可能とする信号端子が、機器の前部側に設けられ、
前記リモコン装置は、前記信号端子に接続したデータ送受信用のケーブルを介して第１の映像通信機器側に設定されているプリセットデータを取込んで保存し、
前記リモコン装置に保存された前記プリセットデータは、第２の映像通信機器に送信されて、前記第２の映像通信機器に前記プリセットデータが設定されることを特徴とするプリセットデータ設定システム。
【発明の詳細な説明】
【技術分野】
【０００１】
本発明は、テレビジョン（ＴＶ）、記録再生装置（ＶＴＲ，ＤＶＤ）やパソコン等の映像通信機器におけるプリセットデータ設定方法及び設定システムに関する。
【背景技術】
【０００２】
ＴＶ、ＤＶＤ、ＶＴＲ等の映像通信機器（ＡＶ機器とも言われている）で、例えば、受信チャンネル番号、映像の画質や音質等は、通常、工場出荷の際に標準仕様で設定されているが、ユーザやサービスマンによって使用環境等に応じて自由に設定を変更できるようになっている。しかし、これらの設定変更の操作には手間を要することから、リモコン装置にクローン機能を持たせてプリセットデータを記憶設定する方法が知られている（例えば、特許文献１、特許文献２参照）。
【０００３】
前記の特許文献１には、リモコン装置にプリセット制御装置、不揮発性記憶装置、リモコン波形受信装置を有し、ボタン操作によって入力されたプリセットデータ、もしくは、前記リモコン装置が他のＡＶ機器等との間のデータ通信で取込んだプリセットデータを、前記の不揮発性記憶装置に保存する。また、特許文献２においても、ＴＶ等のコネクタに外部制御データ蓄積ユニットを接続し、オンスクリーンメッセージにしたがって、ＴＶ側の制御データを外部制御データ蓄積ユニット側に転送するか、あるいは、外部制御データ蓄積ユニット側の制御データをＴＶ側に転送して、ＴＶ側の画質や音質を設定することが開示されている。そして、それらのプリセットデータをＴＶ等に送信して設定することにより、ＴＶ等のＡＶ機器のプリセットの簡易化が図れるとしている。
【０００４】
ＴＶ等へのデータ送信は、赤外線通信等によるリモコン装置を用いたワイヤレスで行うことができるが、ＴＶからリモコン装置側へのデータ送信は、通常、特別に設けた専用端子を用いて有線で行われている。また、ＡＶ機器等等においては、音声信号を送出するイヤホン端子（ヘッドホン端子とも言う）は、一般に機器前面パネル側の使用しやすい位置に設けられているが、データ通信用の専用端子は、機器の外観が損なわれないように機器の背面部や側面部に設けられている。
【特許文献１】特開平８−３３０６１号公報
【特許文献２】特表平１１−５０６２９７号公報
【発明の開示】
【発明が解決しようとする課題】
【０００５】
クローン機能を備えたリモコンを用い、データ通信用の信号端子から複数のＡＶ機器にプリセットデータを送信して記憶設定することにより、データプリセットの簡易化を図ることは、上記の特許文献１，２にも開示されている。しかしながら、ホテルのような場所に設置されるＴＶは、室によってその設置条件が様々で、壁掛けタイプのＴＶ、埋め込みタイプのＴＶ等がある。これらのＴＶは、一旦、設置されると機器の背面や側面に設けた端子にケーブルを接続して使用することは容易でない。また、機器の背面や側面には、ＤＶＤやＶＴＲ等の他の機器との接続端子やコネクタ等などもあり、配線が輻輳して作業性や操作性もよくない。
【０００６】
したがって、ホテルのような場所で使用される多くのＴＶに対して、プリセットデータを新たに設定したり変更したりする場合、クローン機能を備えたリモコンを用いてプリセットを簡易化するとしても、ケーブルを用いた有線によるプリセットデータの設定作業は容易でない。このため、データ通信用の信号端子をＡＶ機器の前面パネル側に設ければよいが、ＴＶのデザイン上の外観を損なうことに加えて、信号端子のためのスペース確保も簡単ではないと言う問題がある。
【０００７】
本発明は、上述した実情に鑑みてなされたもので、映像通信機器の前面パネル側或いはその近傍に新たに通信用の信号端子を設けることなく、既存の音声端子（イヤホン端子）を利用して、容易にプリセットデータの送受信ができるプリセットデータ設定方法と設定システムの提供を目的とする。
【課題を解決するための手段】
【０００８】
本発明によるプリセットデータ設定方法は、音声・映像情報を出力し、リモコン装置を用いて操作が可能な映像通信機器にプリセットデータを設定する方法である。
機器の前部側（前面及びその近傍）に設けられる信号端子は、音声信号線に接続されて音声信号を取り出し、前記音声信号線の接続をデータ信号線に切替えてデータ信号の送受信が可能とされる。リモコン装置は、前記の信号端子に接続したデータ送受信用のケーブルを介して第１の映像通信機器側に設定されているプリセットデータをリモコン装置に取込んで保存し、次いで、リモコン装置に保存されたプリセットデータを第２の映像通信機器に送信して、第２の映像通信機器に前記のプリセットデータを設定する。
【０００９】
また、第１の映像通信機器とリモコン装置をケーブルで接続したとき、プリセットデータのデータ比較を行い、その差分データのみを前記リモコン装置に取込んで保存する。そして、前記リモコン装置に保存されたプリセットデータを第２の映像通信機器に送信する場合に、前記プリセットデータのデータ比較を行い、その差分データのみを第２の映像通信機器に送信する。
【００１０】
また、リモコン装置に保存されたプリセットデータを、第２の映像通信機器に送信するのに、信号端子に接続したデータ送受信用のケーブルを介して送信してするか、又は、第２の映像通信機器にリモコン受信部を介してワイヤレスで送信して、第２の映像通信機器に前記のプリセットデータを設定する。なお、プリセットデータは、ＴＶチャンネルの設定データ、或いは、映像に関する設定データとすることができる。
【発明の効果】
【００１１】
本発明によれば、機器の前部側（前面及びその近傍）に設けられている信号端子（イヤホン端子）を介してリモコン装置とケーブル接続し、プリセットデータを高速で送受信することができる。また、ケーブル接続を機器の前部側から行うことができるので、作業性がよく接続も容易となる。さらに、リモコン装置からのプリセットデータを送信する場合は、赤外線等のワイヤレスよるプリセットデータの設定を行うことも可能である。
【発明を実施するための最良の形態】
【００１２】
図により本発明の実施の形態を説明する。図１は本発明で用いるプリセットデータ設定方法の概要を示す図である。第１の映像通信機器１（ＴＶ１）は、マスター用として用いられるもので、元になる最初のプリセットデータ（又は更新プリセットデータ）が設定される。第２の映像通信機器２（ＴＶ２ａ〜ＴＶ２ｎ）は、プリセットデータが未設定又は未更新状態の多数のＴＶ群からなる。マスター用のＴＶ１に設定されたプリセットデータは、クローン機能を備えるリモコン装置３（以下、データコピーリモコンと言う）とデータ通信することで、データコピーリモコン３にＴＶ１に設定されたのと同じプリセットデータが取込まれ保存される。
【００１３】
この後、データコピーリモコン３は、他のＴＶ２（ＴＶ２ａ〜ＴＶ２ｂ）とそれぞれデータ通信を行い、リモコン内に保存されているマスターＴＶ１に設定されたプリセットデータを、ＴＶ２に送信する。ＴＶ２は、データコピーリモコン３からのプリセットデータを受信して、新規のプリセットデータとして設定するか、あるいは、既存のプリセットデータを更新設定する。なお、本発明におけるプリセットデータとは、ＴＶチャンネル番号、表示画像の画質、音声の音質、時刻等のデフォルト設定、ユーザ設定、その他仕様等に関するデータを含むものとする。
【００１４】
図２は、本発明によるプリセットデータ設定方法を説明する図で、図１の第１及び第２の映像情報機器（ＴＶ１，ＴＶ２）の概略を示すブロック図である。なお、ＴＶ１とＴＶ２ａ〜ＴＶ２ｎは、同じ構成のもので、多くのＴＶのうちの１台をマスター用にＴＶ１とし、他をＴＶ２としているに過ぎない。
【００１５】
ＴＶ１，ＴＶ２は、アンテナ１１で放送電波を受信し、チューナ部１２で所望の放送局の電波が選局される。受信した放送内容は音声及び映像データからなり、受信信号処理部１３により多重化されている音声情報と映像情報に分離されて送出され、音声信号は音声処理部１５で増幅処理等が行われて出力される。映像信号は、映像処理部１４で、輝度、コントラスト、ガンマ補正、映像信号レベル等の所定の画像処理が行われて、液晶等の薄型表示装置１６で表示される。
【００１６】
音声処理部１５から出力される音声信号は、切替手段１７等によりスピーカ１８、又は、イヤホン端子（ヘッドホン端子ともいう）に切替えて外部に出力される。イヤホン端子部（以下、信号端子部という）２２は、後述する切替スイッチ２１により、音声信号の出力用端子として使用するか、上記のデータコピーリモコン３とのデータ通信用の入出力端子として使用することができるように構成されている。
【００１７】
また、ＴＶ１，ＴＶ２には、マイコン等を含む制御部１９を有していて、データメモリ２０に記憶されているデータに基づいて、チューナ部１２のチャンネル選択や受信信号処理部１３等の各種制御を行っている。制御部１９は、外部回路とデータ通信を行うためのデータ信号線２３ａを有している。このデータ信号線２３ａは、上述した信号端子部２２とデータ送受信用のケーブル（シリアルケーブル或いはパラレルケーブル）２６を用い、外部装置とデータの送受信を行うことができる。
また、一般的には、ＴＶの選局や画面をリモコン操作するための赤外線通信等によるリモコン受信部２５を有している。リモコン受信部２５で受信したデータは、受信データ処理部２４で復調・検波等の信号処理を行って、前記のデータ信号線２３ａを経て制御部１９に入力することができる。
【００１８】
信号端子部２２は、イヤホンやヘッドホンが接続しやすいように、通常、ＴＶの映像表示部の前面パネル下面部分やその近傍部分である機器の前部側に設けられ、また、リモコン受信部２５もリモコンとの通信がしやすい前面パネル等の機器の前部側に設けられている。また、これらの端子等を目立たないように設けるとしても、パネル前部（又は前面）方向から容易に端子接続ができる位置に設けられている。
【００１９】
本発明は、データコピーリモコン３を用いてプリセットデータを設定するのに、ＴＶの映像表示部の前部側から行うようにするもので、上記の信号端子部２２を用いて行う。この場合、信号端子部２２は、切替スイッチ２１により音声信号線２３ｂから切り離されて制御部のデータ信号線２３ａと接続されている状態となる。切替スイッチ２１の切替操作は、例えば、リモコン受信部２５で受信した信号で制御部１９に指示し、切替スイッチ２１に切替信号を送出して行うことができる。
【００２０】
本発明においては、まず、マスターとなるＴＶ１にプリセットデータを入力する。このプリセットデータの入力は、ＴＶ１の背面や側面に設置されている各種の操作ボタンを用いて行うか、通常の選局や画面操作に使用する操作リモコン（データコピーリモコンとは異なる）、あるいは、上記のデータコピーリモコン３を用いて行うことができ、データメモリ２０等に記憶設定される。ＴＶ１にプリセットデータが設定された後、データコピーリモコン３がデータ伝送用として一般的なデータ送受信用のケーブル２６により信号端子部２２と接続される。なお、信号端子部２２は、このとき音声信号線２３ｂから切り離されて制御部１９のデータ信号線２３ａに接続されているものとする。
【００２１】
ケーブル２６で、ＴＶ１とデータコピーリモコン３を接続することにより、ＴＶ１に設定されたプリセットデータを、データコピーリモコン３からのデータ転送要求によりデータコピーリモコン３に取込むことができる。このケーブル２６を用いて、データコピーリモコン３に取込むときの信号電圧は、３.３Ｖ程度のデジタル信号が用いられる。
なお、ＴＶ１とデータコピーリモコン３をケーブル２６で接続したとき、プリセットデータのデータ比較を行い、その差分データのみをデータコピーリモコン３に取込んで保存するようにしてもよい。この差分データのみを取込むことでデータコピー時間の短縮をはかることができる。データコピーリモコン３に取込んだプリセットデータは、リモコン内のメモリバンクに保存される。次いで、データコピーリモコン３は、ＴＶ１とのデータ通信を終了し、ケーブル２６の接続が外される。
【００２２】
この後、プリセットデータが取込まれ保存されたデータコピーリモコン３は、プリセットデータが未設定のＴＶ２（ＴＶ２ａ〜ＴＶ２ｎ）とデータ通信を行い、リモコン内に保存しているプリセットデータを、ＴＶ２に送信して順次コピー（または、インストール）していく。なお、データコピーリモコン３に保存されたプリセットデータをＴＶ２ａ〜ＴＶ２ｎに送信する場合に、前記のＴＶ１とデータコピーリモコン３間でのデータ取込みと同様に、プリセットデータのデータ比較を行い、その差分データのみをＴＶ２に送信するようにしてもよい。この差分データのみを送信することでデータコピー時間の短縮をはかることができる。
【００２３】
データコピーリモコン３とＴＶ２との間のデータ通信は、ＴＶ１とデータコピーリモコン３をケーブル２６で接続したのと同様に、信号端子部２２とケーブル２６を介して行うことができる。この場合、データコピーリモコン３からＴＶ２にプリセットデータを送信し、ＴＶ２内のデータメモリ２０にコピーすることになる。したがって、ＴＶ１の場合とはデータ信号の送信方向が反対になる。
【００２４】
データコピーリモコン３が、赤外線通信が可能なワイヤレス機能を備えている場合は、ケーブル２６を用いて通信する代わりに、ＴＶの選局や画面を操作する前述したリモコン受信部２５を介して、データコピーリモコン３からプリセットデータをワイヤレスでＴＶ２に送ることもできる。この場合、フォトダイオード等で構成されるリモコン受信部２５で受信する信号成分は数マイクボルト（μＶ）程度の微小信号である。このため、受信データ処理部２４において、増幅、検波、波形成形等の処理を経て、所定の信号レベル（例えば、３.３Ｖ程度のデジタル信号）にされ、データ信号線２３ａを経て制御部１９に送信される。なお、ＴＶの選局や画面を操作に使用しているデータ信号線２３ａを用いず、別に専用のデータ信号線を設けるようにしてもよい。
【００２５】
なお、赤外線あるいはその他の無線手段を用いて、データコピーリモコン３に保存されているプリセットデータをＴＶ２に送る場合、伝送速度、品質などがケーブルを用いる場合に比べて、多少低下する。しかし、ケーブルが不要であることやＴＶの設置条件等によっては利点もある。また、ケーブルを用いた場合は、１台のデータコピーリモコンで１台のＴＶ２しかデータを送ることができないが、赤外線あるいは無線、その他のワイヤレス手段を用いる場合は、１台のデータコピーリモコン３で複数台のＴＶ２に同時にプリセットデータを送信することも可能となる。
【００２６】
本発明におけるプリセットデータの設定としては、少なくともホテル等で新規に多数のＴＶ設置したときや、チャンネル仕様の変更等でチャンネル番号の設定、ＴＶが設置される部屋の環境（明るい部屋、薄暗い部屋等）に合わせて、画質を明るくしたり暗くしたりする画質に関する設定がある。この場合、多くのＴＶに対してプリセットデータを効率的に設定するには、データコピーリモコン３を用いて簡易化すると共に、ＴＶ２の前部の前面パネル側から設定操作が行えることが望ましい。これには、イヤホン端子を利用してデータ通信を行うのが最適であることは上述のとおりである。
【００２７】
図３は本発明を実施するのに用いられるデータコピーリモコンの一例を示す図である。図中、４は電源用ボタンで、データ通信を開始するためにＴＶ１，ＴＶ２側のデータ通信状態をオンする。５は赤外線パルス信号送信部で、ＴＶ１，ＴＶ２のリモコン受信部２５との間でパルス信号による送信を行うことができる。６はコネクタ端子（ＲＳ−２３２Ｃ端子）で、ＴＶ１，ＴＶ２の信号端子部２２との間で、ケーブル２６を用いて双方向のデータ通信を行うことができる。７はコピーモードボタンで、プリセットデータをＴＶ１からデータコピーリモコン側に、また、データコピーリモコン側からＴＶ２側にコピーする際に操作される。
【００２８】
データコピーリモコンは、マスター用のＴＶ１からプリセットデータをリモコン内に取込む際に操作する取込ボタン８ａを有し、データの取込中は表示素子９ａが点灯される。また、データコピーリモコンからＴＶ２にプリセットデータを送信する際に操作する送信ボタン８ｂを有する。この送信ボタン８ｂは、誤って元のデータを書き替えないように２つのボタンを同時押すことによりデータの送信が開始されるようになっている。なお、データの送信中は表示素子９ｂが点灯される。
【００２９】
メモリ選択ボタン８ｃは、複数のプリセットデータがある場合に、どのプリセットデータを取込あるいは送信するかを選択するものである。例えば、チャンネル番号設定と画質設定、あるいは、明るい部屋用の画質設定と暗い部屋用の画質設定というように、複数のプリセットデータがあり、このうちどのプリセットデータを取込み、送信するかを選択することができるようになっている。表示素子９ｃは選択中のプリセットデータの番号を点灯によって表示する。
【００３０】
また、伝送速度変更ボタン８ｄを備え、例えば、ボタンを押すごとに切替られるようになっていて、伝送速度が５７６００ｂｐｓのときは、表示素子９ｄは消灯し、９６００ｂｐｓのときは点灯するようにして表示させることができる。また、９ｅは確認用の表示素子で、データ通信の後、データ通信が成功していれば青の表示素子が点灯し、データ通信が失敗していれば赤の表示素子が点灯して、データ通信の結果を確認できるようになっている。
【００３１】
次に、上記のデータコピーリモコンによるデータの取込と送信の手順について説明する。マスター用のＴＶ１からデータコピーリモコン３にプリセットデータを取込む場合は、まず、電源用ボタン４を押して、ＴＶ１側の電源をオンして通信可能状態とする。次いで、コピーモードボタン７を押して、赤外線パルス信号送信部５から通信開始のパルス信号を送信して、ＴＶ１をコピーモードにする。これにより、図２で説明したように、ＴＶ１は信号端子部２２が音声信号線２３ｂからデータ信号線２３ａ側に切替わりる。ＴＶ１がコピーモードになったことを確認して、信号端子部２２とリモコン側のコネクタ端子６とをケーブル２６で接続する。
【００３２】
この後、メモリ選択ボタン８ｃでコピーしたいプリセットデータのメモリ番号を選択（全部を選択することも可）し、取込ボタン８ａを押してＴＶ１からのプリセットデータをデータコピーリモコン３に取込むことを開始する。データ通信が終了すると、確認用の表示素子９ｅの青が点灯し、データ取込が製越したことを表示する。失敗している場合は、赤が点灯し、再度やり直すなどの指示が出る。
【００３３】
データコピーリモコン３からＴＶ２にプリセットデータを送信する場合は、前記と同様に電源用ボタン４を押して、ＴＶ２側の電源をオンして通信可能状態とする。次いで、コピーモードボタン７を押して、赤外線パルス信号送信部５から通信開始のパルス信号を送出して、ＴＶ２をコピーモードする。これにより、図２で説明したように、ＴＶ２は信号端子部２２が音声信号線２３ｂからデータ信号線２３ａ側に切替わりる。ＴＶ２がコピーモードになったことを確認して、信号端子部２２とリモコン側のコネクタ端子６とをケーブル２６で接続する。
【００３４】
この後、メモリ選択ボタン８ｃでＴＶ２側にコピーしたいプリセットデータのメモリ番号を選択（全部を選択することも可）し、送信ボタン８ｂの２つを同時に押して、データコピーリモコン３からＴＶ２にデータの送信を開始する。全データ通信が終了すると、確認用の表示素子９ｅの青が点灯し、データ取込が成功したことを表示する。失敗している場合は、赤が点灯し、再度やり直すなどの指示が出る。なお、データコピーリモコン３からＴＶ２にプリセットデータを送信する場合は、ケーブルと信号端子部２２とによる接続を行わず、ＴＶ２側のリモコン受信部２５と赤外線パルス信号送信部５によるデータ通信を用いることもできる。
【００３５】
次に図４により、上述した信号端子部を音声信号線からデータ信号線に切替えて使用する回路例について説明する。図中、２２は信号端子部、２２ａ，２２ｂは信号端子、２２ｃはアース端子、２４は受信データ処理部、２５はリモコン受信部、３１ａ，３１ｂは音声信号線、３２ａ，３２ｂはデータ信号線、３３ａ，３３ｂは第１のスイッチ（ＭＯＳＦＥＴ）、３４は第２のスイッチ（ＭＯＳＦＥＴ）、３５は第３のスイッチ、３６はマイナス電源生成装置、３７はＮＯＴ回路を示す。
【００３６】
図４の信号線切替回路において、信号端子部２２（図２の信号端子部２２に対応）は、例えば、ジャック形のイヤホン端子（ヘッドホン端子という場合もある）を用いて構成することができる。この信号端子部２２は、例えば、２つの信号端子２２ａ，２２ｂ（ステレオ用のＲ端子とＬ端子）と、アース端子２２ｃを有している。この２つの信号端子２２ａ，２２ｂには、後述する第１のスイッチ３３ａ，３３ｂを介して、音声信号を伝送する音声信号線３１ａ，３１ｂが接続される。この第１のスイッチ３３ａ，３３ｂは、第２のスイッチ３４のオン・オフによって制御される。
【００３７】
また、信号端子２２ａ，２２ｂは、音声信号に対しては出力端子としての機能を有するが、後述する第３のスイッチ３５（図２の切替えスイッチ２１に対応）により切替えられて音声信号とは異なるデータ信号用の信号端子として使用することができる。データ信号用の信号端子に切替えられると、データ信号に対しては双方向伝送が可能で、出力端子であると共に入力端子としての機能を有する。データ信号の伝送は、例えば、シリアル信号による伝送が望ましく、信号端子がステレオ用に２つの端子を備えている場合は、一方の信号端子を入力用、他方の信号端子を出力用とし、双方向通信に用いることができる。また、データ信号が入力又は出力の何れか一方であるような場合は、一方の信号端子をデータ信号用とし、他方の信号端子をクロック信号用とする使用形態とすることもできる。
【００３８】
上記のように１つの通信端子部２２で、音声信号線３１ａ，３１ｂ（図２の音声信号線２３ｂに対応）からの音声信号の出力とデータ信号線３２ａ，３２ｂ（図２のデータ信号線２３ａに対応）によるデータ信号の入出力の両方を行わせるには、信号端子２２ａ，２２ｂに対して信号線を切替える必要がある。この信号線の切替えには、例えば、第１のスイッチ３３ａ，３３ｂ及び第２のスイッチ３４と、第３のスイッチ３５並びにマイナス電源生成装置３６で生成されたマイナス電位（−Ｖｄｃ）を用いて実施することができる。
【００３９】
なお、各スイッチには、汎用の安価なＭＯＳＦＥＴ等（例えば、ＮチャネルＭＯＳ形電界効果トランジスタ）の半導体素子を用いた半導体スイッチを用いることができる。また、第３のスイッチ３５には、電磁リレー等の機械接点を有するものを用いることもできるが、パワーＭＯＳトランジスタ等を用いた半導体リレーを用いるのが望ましい。
【００４０】
音声信号線３１ａ，３１ｂは、第１のスイッチ３３ａ，３３ｂ（以下、ＭＯＳＦＥＴ３３ａ，３３ｂという）のソース電極に接続し、ＭＯＳＦＥＴ３３ａ，３３ｂのドレイン電極を信号端子２２ａ，２２ｂに接続する。なお、ＭＯＳＦＥＴ３３ａ，３３ｂは、マイナス電位を基底値として駆動されるように設定される。また、ＭＯＳＦＥＴ３３ａ，３３ｂのゲート電極は、抵抗を介してバイアス電源（＋Ｖｃｃ）及び第３のスイッチ３５のｃ２端子に接続すると共に、第２のスイッチ３４に接続される。
【００４１】
データ信号が伝送されるデータ信号線３２ａ，３２ｂは、第３のスイッチ３５のｂ１，ｂ２スイッチ接点を介して、信号端子２２ａ，２２ｂに接続される。また、データ信号線３２ａ，３２ｂは、ｂ３スイッチ接点を介して、赤外線通信等の無線によるリモコン受信部２５とこの受信データ処理部２４に接続されている。なお、リモコン受信部２５は、ＴＶのチャンネル選択や画面調整、音量調整等、通常のリモコン操作の受信部としても使用され、別回路にて制御部に接続するようにしてもよいが、例えば、データ信号線３２ｂを用いて制御部に伝送するようにすることもできる。データ信号線３２ａ，３２ｂに接続された第３のスイッチ３５のｂ１，ｂ２、ｂ３スイッチ接点は、ＴＶ１，ＴＶ２内に搭載されているマイコン等の制御部から送出される制御信号（例えば、Ｈｉｇｈ，Ｌｏｗ）によりオン・オフされる。
【００４２】
制御部からの制御信号がロー（Ｌｏｗ）信号のときは、次段のＮＯＴ回路３７の出力がアクティブのハイ（Ｈｉｇｈ）出力となり、例えば、第３のスイッチ３５のａ１及びａ２端子に、ハイ（Ｈｉｇｈ）信号が印加されることにより、ｂ１，ｂ２，ｂ３スイッチ接点が閉（オン）じられる。また、このハイ（Ｈｉｇｈ）信号は、第２のスイッチ３４（以下、ＭＯＳＦＥＴ３４という）のゲート電極にも印加されてＭＯＳＦＥＴ３４が駆動され、これによりＭＯＳＦＥＴ３３ａ，３３ｂのベース電極がマイナス電位となる。この結果、ＭＯＳＦＥＴ３３ａ，３３ｂがオフとなって、音声信号線３１ａ，３１ｂが切断される。
【００４３】
他方、制御部からの制御信号がハイ（Ｈｉｇｈ）信号のときは、ＮＯＴ回路３７の出力がロー（Ｌｏｗ）出力となり、第３のスイッチ３５のａ１及びａ２端子に、ロー（Ｌｏｗ）信号が印加されることにより、ｂ１，ｂ２，ｂ３スイッチ接点が開（オフ）かれる。また、このロー（Ｌｏｗ）信号は、ＭＯＳＦＥＴ３４のゲート電極にも印加されて、ＭＯＳＦＥＴ３４が非駆動となり、これによりＭＯＳＦＥＴ３３ａ，３３ｂがオンとなって、音声信号線３１ａ，３１ｂが信号端子２２ａ，２２ｂに接続される。
さらに、ＮＯＴ回路３７の出力側には、抵抗を介してマイナス電源（−Ｖｄｃ）に接続される。そして、ＭＯＳＦＥＴ３４のソース電極には、前記のマイナス電源が接続され、信号線切替のための基準電圧としてマイナス電位が用いられる。
【００４４】
次に、以上のような信号端子部を備えたＴＶ１，ＴＶ２の動作状態を説明する。まず、信号端子部２２は、音声信号線３１ａ，３１ｂからの音声信号を、イヤホンあるいはヘッドホンにて聴取することを選択したとする。この場合、制御部からの制御信号としてはハイ信号が送出され、第３のスイッチ３５のｂ１，ｂ２スイッチ接点が開かれてオフの状態となる。このため、データ信号線３２ａ，３２ｂは、信号端子２２ａ，２２ｂに接続されないオフの状態となり、データ信号の伝送は行われない。
【００４５】
他方、ＭＯＳＦＥＴ３４のゲート電極には、ＮＯＴ回路３７によりロー信号が印加されて、ＭＯＳＦＥＴ３４のソース−ドレイン電極間は導通されず、非駆動の状態なる。この結果、ＭＯＳＦＥＴ３３ａ，３３ｂのゲート電極には、抵抗を介して＋Ｖｃｃの電位が加わり、ＭＯＳＦＥＴ３３ａ，３３ｂのソース−ドレイン電極間は、導通された状態となる。したがって、音声信号線３１ａ，３１ｂは、信号端子２２ａ，２２ｂに接続された状態となって、信号端子部２２からは、音声信号が出力される。
【００４６】
ここで、信号端子部２２を用いて、ＴＶとデータコピーリモコンとの間でデータ信号を入出力することを選択するとする。この場合、制御部からの切替信号としてロー信号が送出され、第３のスイッチ３５のｂ１，ｂ２スイッチ接点が閉じられてオンの状態となる。この結果、データ信号線３２ａ，３２ｂは、信号端子２２ａ，２２ｂに接続されてデータ信号の入出力が可能となる。
【００４７】
制御部から切替信号として、ロー信号が送出されたことで、ＭＯＳＦＥＴ３４のゲート電極にＮＯＴ回路３７の出力のハイ信号が印加され、ＭＯＳＦＥＴ３４のソース−ドレイン電極間が導通状態となる。この結果、ＭＯＳＦＥＴ３３ａ，３３ｂのゲート電極には、マイナス電源生成装置３６のマイナス電位（−Ｖｄｃ）が付与される。この結果、ＭＯＳＦＥＴ３３ａ，３３ｂのソース−ドレイン電極間の導通はオフとなり、音声信号線３１ａ，３１ｂは信号端子２２ａ，２２ｂから切り離され、データ信号線３２ａ，３２ｂのみが接続された状態となる。
【００４８】
なお、音声信号線３１ａ，３１ｂ上の音声信号は、通常、接地電位を基準にプラスマイナスに振れる交流波形信号である。このため、ＭＯＳＦＥＴ３３ａ，３３ｂの基底値が接地電位（０Ｖ）とされている場合は、マイナス側に振れる音声信号分はカットされ、信号出力としては１／２となってしまう。しかし、上記のように、ＭＯＳＦＥＴ３３ａ，３３ｂの駆動の基底値をマイナス電位（−Ｖｄｃ）に設定することにより、音声信号のマイナス側に振れる信号分も通過させ、信号端子２２ａ，２２ｂから音声信号を減じることなく出力させることができる。
【００４９】
本発明は、上述したような信号線切替回路を用いることにより、音声信号の聴取に支障をきたすことなく、機器前面側ないしはその近傍に設けられている信号端子（イヤホン端子）にデータ送受信用のケーブルを接続することで、プリセットデータの送受信を容易かつ効率よく行うことができると共に、赤外受信部を用いてのワイヤレスでのプリセットデータの送信も行うこともできる。
さらに、本発明によれは、信号端子部と赤外通信部の両方を使用可能とすることにより、ケーブルによりＴＶ１（マスター機）でプリセットデータの取込みを行って、これは保存すると同時に、赤外光送信部から保存されたプリセットデータを、ＴＶ２ａ〜ＴＶ２ｎ（コピー機）に送信するシステムを実現することも可能となる。
【図面の簡単な説明】
【００５０】
【図１】本発明で用いるプリセットデータ設定方法の概要を示す図である。
【図２】本発明によるプリセットデータ設定の概略を説明するブロック図である。
【図３】本発明で用いられるデータコピーリモコンの一例を示す図である。
【図４】本発明における音声信号とデータ信号の信号線切替回路の一例を説明する図である。
【符号の説明】
【００５１】
１…第１の映像情報機器（マスターＴＶ）、２…第２の映像情報機器（ＴＶ群）、３…リモコン装置（データコピーリモコン）、４…電源用ボタン、５…赤外線パルス信号送信部、６…コネクタ端子、７…コピーモードボタン、８ａ…取込ボタン、８ｂ…送信ボタン，８ｃ…メモリ選択ボタン、８ｄ…伝送速度変更ボタン、９ａ〜９ｅ…表示素子、１１…アンテナ、１２…チューナ部、１３…受信信号処理部、１４…映像処理部、１５…音声処理部、１６…表示装置、１７…切替手段、１８…スピーカ、１９…制御部、２０…データメモリ、２１…切替スイッチ、２２…信号端子部、２４…受信データ処理部、２５…リモコン受信部、２６…シリアルケーブル、２３ｂ，３１ａ，３１ｂ…音声信号線、２３ａ，３２ａ，３２ｂ…データ信号線、３３ａ，３３ｂ…第１のスイッチ（ＭＯＳＦＥＴ）、３４…第２のスイッチ（ＭＯＳＦＥＴ）、３５…第３のスイッチ、３６…マイナス電源生成装置、３７…ＮＯＴ回路。
【図１】
2008283372.tif 000003
【図２】
2008283372.tif 000004
【図３】
2008283372.tif 000005
【図４】
2008283372.tif 000006